(57)【要約】【課題】〔一〕  扇風機の風は生暖かい。  これに対して  エアコンは涼しいが、エアコンは  普通高い所に固定されて居るので、外出して帰って来て  寝転んで  すぐ涼む、という訳に行かない。又、一人、二人で涼むのは  勿体ない、電気代が  高くつく、炭酸ガスを  多く出す。〔二〕  「扇風機の風の生暖かさ」、「エアコンは  固定」という事で、本発明が示す、例えば  「冷ごたつ」という様な応用が  中々難しい。【解決手段】〔一〕  扇風機に  小さい冷蔵庫（冷熱発生器１）をつけて、部屋の温度より低い  涼しい風を作る。〔二〕  扇風機に  冷熱発生器１を付けたものは小さく、持ち運びが  容易である為、「冷ごたつ」という様な応用が出来る。【選択図】  図１
2004353645.tif 000002
【特許請求の範囲】
【請求項１】
扇風機に  冷熱発生器（１）をつけ、冷熱発生器（１）によって作られる冷たい空気、或いは  熱い空気を  扇風機の所へ送り、
冷房に、或いは  暖房に用いる装置。
但し、扇風機と云っても、エアコンの様に  一カ所に固定してその移動が難しいものでなく、簡単に移動出来るもの。
即ち、身体の直ぐ側に据えて涼む、あの扇風機の事である。
〔注〕  この「請求項１」で用いた「或いは」という言葉は、「数学の集合」の「ｏｒ」という意味だ  とする。
即ち、空気を  扇風機の所へ送るものとして、冷たい空気丈送るもの、熱い空気丈送るもの、冷たい空気、熱い空気の両方を送れるもの、の三つを指す。
又、冷暖房の装置の種類として、冷房丈のもの、暖房丈のもの、
冷房暖房両方に使えるもの、の三つを指し、この三つに対して  請求する、という事である。
【請求項２】
空気を  扇風機のモーター（６）の所（「図３」参照）へ流す方法として、支柱（１０）の中を通し、インクビンに似た物体（１１）の中空部分を通して、モーター（６）の所まで流す様にしたもの。
但し、物体（１１）は  支柱（１０）の周りを回転する、とする。
【請求項３】
冷熱発生器（１）によって作られる  冷たい空気や熱を、冷房、
或いは  暖房に使う場合、自由に切り替える装置として管（４７，４８，４９，５０）（「図１０」参照）を用いて、空気を  二つの部屋（４３，４４）へ分けて入れる様にしたもの。この場合、弁（５１，５２，５３，５４）を操作する。
但し、「請求項３」と同様の装置が  既にあれば、「請求項３」は請求しない。
「請求項３」は、「請求項３」と同様の装置が無い時丈  請求する。
【請求項４】
次のものに、冷やす装置が付けられたもの。
扇風機，布団，座布団，毛布，じゅうたん，椅子，こたつ（「図７」参照），昔の「こたつ」（「図８」参照），椅子つきの机
〔注〕  こゝで云う「扇風機」は、エアコン、クーラー等の中の扇風機の事ではない。  身体の直ぐ側に据えて涼む、あの扇風機の事である。
【請求項５】
次のものに、暖める装置が付けられたもの。
布団，座布団，椅子，椅子つきの机
但し、暖める装置が付けられたものが  既にあれば、それは請求しない。
「請求項５」は、「請求項５」と同様の装置が  無いもの丈に請求する。
【請求項６】
次のものに、冷やしたり、暖めたりする装置（冷暖房両用の装置）が  付けられたもの。
扇風機，布団，座布団，毛布，じゅうたん，椅子，こたつ（「図７」参照），昔の「こたつ」（「図８」参照），椅子つきの机
〔注〕  こゝで云う「扇風機」は、エアコン、クーラー等の中の扇風機の事ではない。  身体の直ぐ側に据えて涼む、あの扇風機の事である。
【請求項７】
穴の開いた管（２１）（「図５」参照）を、物体（Ａとする）に埋め込み、「請求項１」の装置を用いて  この物体Ａを涼しくしたり、或いは  暖かくするもの。
〔注〕  この「請求項７」で用いた「或いは」という言葉は、「数学の集合」の「ｏｒ」という意味だ  とする。
即ち、物体Ａを  涼しくする丈のもの、暖かくする丈のもの、涼しくしたり暖かくしたり  両方出来るもの、の三つに対して請求する、という事である。
【請求項８】
次のものに、「請求項７」の装置を用いたもの。
布団，座布団，毛布，じゅうたん，椅子
〔注〕  次の「請求項」におけるコンマ「，」は、「或いは」という意味だとする。  そして、この「或いは」という言葉は、「数学の集合」の「ｏｒ」という意味だ  とする。  即ち、「，」によって  並べられたもの、それぞれに対して  請求する、という事である。
請求項４、５、６、８
尚、「請求項１」の装置には、涼しくする丈のもの、暖かくする丈のもの、涼しくしたり  暖かくしたり  両方出来るもの、の三つが有るので、
「請求項８」においては、一つの物体（例えば、布団）に対して  三つずつ請求する、という事である。
【請求項９】
次の（ａ）、或いは  （ｂ）、或いは  （ｃ）に、
「請求項１」の装置を用いて、それぞれを  冷やしたり、或いは暖めるもの。
（ａ）  空間を作る骨組み（２６）に、布団（或いは  毛布）（２７）を被せたもの。  （「図７」参照）
（ｂ）  机（３０）に、布団（或いは  毛布）（３１）を被せ、
椅子（３２）の脚の周りに  布団（或いは  毛布）（３３）を巻いたもの。  （「図９」参照）
（ｃ）  昔式の「こたつ」。  （「図８」参照）
〔注〕  この「請求項９」で用いている「或いは」という言葉は、「数学の集合」の「ｏｒ」という意味だ  とする。
即ち、「請求項１」の装置の  冷房丈のもの、暖房丈のもの、冷房暖房両方に使えるものと、（ａ）、（ｂ）、（ｃ）と  組み合わせたものゝ、それぞれに対して請求する、という事である。
更に云えば、（ａ）の（２７）は  「布団」と「毛布」に分かれ、
（ｂ）の（３１）、（３３）も  同様である。
即ち、（ａ）の  それぞれと、（ｂ）の  それぞれと、「請求項１」の装置のそれぞれを組み合わせたもの  に対して請求する、という事である。
【発明の詳細な説明】
【０００１】
【発明の属する技術分野】
扇風機など、身体を冷やす等の装置。
【０００２】
【従来の技術】
羽をモーターで回して、空気を吹き出すという方法の扇風機。
この場合、冷蔵庫の原理を用いた  冷たい空気等を吹き出すエアコンもある。
エアコンは  冷暖房両用、クーラーは  冷房専用。
【０００３】
【発明が解決しようとする課題】
〔一〕  涼しさ、勿体なさ等
（１）扇風機の場合
扇風機にあたって、最初は  「あゝ、涼しいな」と思うが、その内  吹きつけて来る風の生暖かさが  気になって来る。
（２）エアコンの場合
扇風機の、この「生暖かさ」という欠点を無くしたのが  エアコンである。
所が、エアコンでは、外出して帰って来て、やれやれと  部屋の好きな場所に寝ころんで涼む扇風機、という訳には行かない。
エアコンは  普通  高い所に固定されて居るので、すぐ涼む為には  エアコンに近づき、一般には  疲れているのに  立った姿勢で涼まなければ成らない。
又、エアコンは  部屋全体を冷やすので、一人、二人が涼むには  勿体ない。
電気＝資源、金のムダ。  地球の炭酸ガスを増やし、地球を温める。
又、「停電無しに  どうして電気を送ろうか」と  電力会社を悩ませる。
この（１）、（２）両者の欠点を無くしたのが、本発明の「冷（ひや）扇風機」である。部屋の温度より低い、涼しい風を作る。
〔二〕  色々な応用
扇風機の風の温度は  部屋の温度であり、エアコンは  普通  一カ所に固定されて居るので、後に述べるような「冷（ひや）ごたつ」、「冷（ひや）ぶとん」等の応用が  中々難しい。
【０００４】
【課題を解決するための手段】
〔一〕  涼しさ、勿体なさ等
「図１」が、「冷（ひや）扇風機」である。
一言で云えば、扇風機に  小さいオモチャみたいな冷蔵庫１（次に  すぐ説明する）を  くっつけたもの。
冷蔵庫１によって  冷たい空気を作り、それを  羽９の所に送り、羽９によって涼しい風を送り出す。
従って、原理は  エアコンと同じだが、エアコンは  「一定の場所から動けない珊瑚」、「冷扇風機」は  「泳ぎ回る小魚」という所。
尚、本発明では  「冷蔵庫１」を  以後「冷熱（れいねつ）発生器」と呼ぶ事にする。
〔二〕  色々な応用
扇風機に  「冷熱発生器１」（冷蔵庫）を付けたものは  小さく、持ち運びが容易である為  「冷ごたつ」という様な応用が出来る。
新しい便利さをもたらす、創り出す。
【０００５】
【発明の実施の形態】
〔一〕  涼しさ、勿体なさ等
（１）仕組みについて
冷熱発生器１は、「図２」のように  冷たい空気を作る部分２と  熱を発生する部分３に分かれている。
扇風機４によって  ２と３の部分に  空気を送り、「図１」のように  一方では  冷たい空気を  管７によって羽９の所に送り、他方では  熱を  管５によって  外部に出す。  羽９によって  涼しい風を送り出す。
尚、冷たい空気を作る装置、熱を作る装置は  描くのを省略してある。
扇風機４の近くには  穴があり、空気が  冷熱発生器１の中に入るように成っている。
５７（「図２」）は  部屋２と部屋３を仕切る板。
１０（「図１」）は  モーター６等を支える支柱。
管７（「図１」）は  冷たい空気を吹き出す管８につながって居る。
管８は  数本つける。
「図１」では、管８は  羽９の後ろから  冷たい空気を吹き出すように成っているが、管８を伸ばして  羽９の前に  冷たい空気を吹き出す様にしても良い。
管７は  管の壁が凸凹になっていて、自由に曲がるように成っている。
管７は  丈夫なもので、長時間の使用に耐えられるもの  でなければ成らない。管７は  冷熱発生器１とモーター６に差し込んだり  抜いたり出来るようにし、
予備を用意して置き、管に穴が開けば  取り替えるようにしても良い。
管５は  何本か接続出来るようにし、幾らでも長く伸ばせるもの  とする。
尚、羽９には  安全のための覆いを付けるが、「図１」では  その覆いを省略してある。
【０００６】
（２）管５の熱について
「冷扇風機」は、エアコンのように  部屋を閉め切って使用するのも可能である。
この場合は、管５の先を  壁の近くに持って行って  使用する様にする。
熱い軽い空気が  管５の先から出て、天井の方へ上がって行く。
一方  冷たい重い空気は  下の座敷の方に溜まって行き、長時間使用しているとこの熱い空気が  だんだん下に下がって来て、下の冷たい空気と  攻めぎ合う事になる。
熱い空気が  余り下に来ると、「冷扇風機」による涼しさを  減らされてしまう。このような場合は、窓を開けて  空気を入れ替えれば良い訳である。
冬  ストーブをつけて居て、時々部屋の空気を入れ替えるのと似ている。
ストーブの場合は  これを怠ると命に関わるが、「冷扇風機」の場合はそんな事はなく、たゞ暑い丈。
どこ迄熱い軽い空気が  下まで下りて来るのかを、この装置の製造元の会社は一度実験によって  知って置く必要がある。
部屋を閉め切って使用する場合、管５の先を  何らかの方法で  部屋の外に出すなら、こんな問題は起こらない。
又、窓を開け放って使用するなら、勿論  こんな問題は起こらない。
又、天井の高い部屋では、こういう問題は  問題に成らないであろう。
欧米の家は  天井の高い家が多いで有ろうから、欧米の家では  こういう問題は少ないと思われるが、日本では  こういう問題があり得る。
【０００７】
（３）冷たい空気を送る他の方法
（ア）  仕組み
「図３」、「図４」。  １０は  支柱だが、管に成っている。
１１は  円筒の形をしたインクビンの底を除いた様なもので、モーター６に取り付ける。
このインクビンの口にあたる部分が、支柱１０の周りを  自由に回る。
従って、モーター６が  支柱１０の周りを  自由に回る事になる。
１２は  刀のツバの様なもので、モーター６が  下に落ちない様にした支え。
１３は  棒で、支柱１０に差し込んである。
物体１１、モーター６が  上に  すっぽ抜けない様にしたもの。
管１４は  インクビンの様な形をしたもの１１から出ており、モーター６に固定されて居り、冷たい空気を吹き出す管８につながって居る。
管１５（「図４」）は  冷熱発生器１につながって居り、冷たい空気を流す管で、支柱１０を支える第２の支柱である１６につながって居る。
１６も  管の様なもので、中は中空である。
尚、物体１１が  支柱１０の周りを回転するので、物体１１と支柱１０の間に摩擦が起こる。  従って、ボールベアリングを用いて  摩擦を小さくするか、
或いは  ダイアモンドなどを用いて、余りすり減らない様にする。
尚、物体１１と支柱１０の間から  空気が  少々もれ出ても良い訳である。
船のスクリューを取り付ける場合は  水が  船の中に絶対に入って来ないように努める訳だが、扇風機の場合は  そうする必要が無いので  楽である。
【０００８】
（イ）  仕組みの働き
羽９が回り、この扇風機が  首を振るとすると、インクビンに似たもの１１のインクビンの口にあたる部分が  支柱１０の周りを回る。
こういう状況の中で、冷熱発生器１から出た冷たい空気が  管１５を通って支柱１６の中に入る。  そして、更に  支柱１０を通って  インクビンの様なもの１１の中空部分に入り、管１４を通って  管８に至る。
管８より、冷たい空気が  羽９に向かって吹き出される。
こういう事なので、支柱１０の先が  台１７まで下りない様にする。
台１７まで下りると、冷たい空気が  支柱１０の中に入って来ないので。
或いは、支柱１０の先の方に  穴を開けておく。  これなら、台１７まで支柱１０が下りても、冷たい空気が  支柱１０の中に入って来る。
【０００９】
〔二〕  色々な応用
最初に述べたように、「冷扇風機」は  応用が  色々と出来る。
以下、それを述べる。
（１）応用１
（ア）  涼ぶとん
「図５」が  「涼（すゞ）ぶとん」の図である
穴２０の空いた管２１を  布団２２の中に張り巡らせる。
布団は、掛け布団にも  敷き布団にも  こうすれば良い。
管２１は  管２３につながって居り、管２３は  「図６」の「冷扇風機」につながって居る。    管２３と管２１は  別の管で、差し込んで接続する。
「図５」では  接続する部分は  描いていない。
「図１」の冷扇風機を  少し変えたものが、「図６」の冷扇風機である。
「図６」の冷扇風機を  「元（もと）冷扇風機」と呼ぶ事にする。
「涼ぶとん」の場合は  布団２２に涼しい風を送る丈なので  首を振る必要がなく、モーター６を  台１７に固定する。
それが  「図６」の「元冷扇風機」である。  元冷扇風機から出た涼しい風が、管２１の穴２０から出て  布団２２を涼しくする。
２５は  羽９の周りを覆うもので、この覆いから  空気がもれ出ない様にする。管２３によって  涼しい風が送られる。
管２１（「図５（ａ）」）の穴２０は  同じ大きさ  というのが  考えられるが、管２３に近い方が  強く吹き出て、遠くの方が  どうしても弱くなるので、
布団全体を  等しく冷やそう  とするなら、管２３に近い方の穴を  小さく、遠くの方の穴を大きくする。
或いは、穴の大きさを同じにするなら、管２３に近い方の穴の間隔を  大きくし、遠い方の穴の間隔を小さくする。
管２１は  プラスチック等で作る。  敷き布団でも、すぐ後から述べるジュウタンにせよ、人が  その上に乗っても  滅多には壊れないで有ろう。
「図５（ａ）」では、管２１と管２３がつながって居るのは  一カ所丈であるが、一般には  「図５（ｂ）」の様に、何カ所かで  つながる様にする。
そうすると、管２１の一部が  仮に壊れた  としても、他から  空気が送られて来るので、良いという訳である。
管２４には  穴をつけず、布団の端の方に通す。  端の方は、管２４が壊れる割合が小さい。  例えば、敷き布団では  踏まれる事が少ない。
布団を  早く涼しくしよう  と思うなら、羽９を回す。
そうでなければ  羽９の方は止めて、冷熱発生器１の中の扇風機４丈を  回せば良い。  又、羽を回す速さも  変えられる様にする。
【００１０】
（イ）  涼ざぶとん
布団の代わりに、座布団に  穴の空いた管２１を  張り巡らせ、
元冷扇風機（「図６」）から  涼しい風を送り、座布団を冷やす様にしたのが「涼（すゞ）ざぶとん」である。
【００１１】
（ウ）  冷毛布
布団の代わりに、毛布に  穴の空いた管２１を  張り巡らせ、元冷扇風機から涼しい風を送り、毛布を冷やす様にしたのが  「冷毛布（ひや・もうふ）」である。
【００１２】
（エ）  冷じゅうたん
布団の代わりに、ジュウタンに  穴の空いた管２１を張り巡らせ、元冷扇風機から  涼しい風を送り、ジュウタンを冷やす様にしたのが  「冷（ひや）じゅうたん」である。
【００１３】
（オ）  冷いす
布団の代わりに、ソファー等の椅子に  穴の空いた管２１を張り巡らせ、
元冷扇風機から  涼しい風を送り、椅子を冷やす様にしたのが
「冷（ひや）いす」である。  ソファーの場合、皮で出来たソファーでも良いと思うが、布で出来たソファーなら  そこから冷たい風が出て来て  大変良い。
【００１４】
（カ）  冷ごたつ
「図７」が  「冷（ひや）ごたつ」の図である。  冬使われる「コタツ」は、空間を作る骨組み２６と  ふとん２７で出来ている。
「冷ごたつ」は  これを  そのまゝ使う。
この「コタツ」の中に  元冷扇風機から出ている管２３を差し込めば、これで「冷ごたつ」の出来上がりである。  元冷扇風機さえあれば  良い訳である。或いは、ヒーターのある部分２８に  小さい元冷扇風機を取り付けても良い。この場合は  元冷扇風機に付いている管２３は  要らないので、取り外す。
覆い２５から  冷たい空気が流れ出れば  それで良い。
熱い空気を出す管５は、布団２７から  外に出す。
只  この場合は、扇風機の振動が  どうかである。  振動を無くすか、減らすものとして  布団２７がある。
又、元冷扇風機と  物体２６の間に、振動を吸収する様なもの、ゴムとか、
バネ等を用いるのも有る。
振動の強さを  一定以下にする事が出来るなら、この様な「冷ごたつ」もある。
【００１５】
（キ）  昔冷ごたつ
「図８」が、「昔（むかし）冷ごたつ」の図である。
昔、「こたつ」の中に  タドンや炭を入れた。  本発明では、「こたつ７０」の枠に  元冷扇風機の管２３を接続する。  「こたつ７０」から  涼しい風が流れ出る。  元冷扇風機は、布団７１の外に出しておく。  ７２は  枕。
【００１６】
（ク）  冷机
「図９」が  「冷机（ひや・づくえ）」である。
机３０を  布団（或いは  毛布）３１でおおう。  但し、座る部分は  少し短くする。  短くしないと、膝の上に  布団の山を抱えこむ事になる。
椅子３２の方は、「図９（ｂ）」のように  椅子３２の脚の部分の周りに  布団（或いは  毛布）３３を付ける。  但し、前は付けない。
元冷扇風機は  「冷ごたつ」と同様で、机３０に付けても  付けなくても良い。布団について‥‥‥断熱材を用いて  布団の様なものを作っても良い。
夏は  厚さの薄いもので良い。
尚、夏においては、次の（ａ），（ｂ）に用いる布団も  同様である。
（ａ）  涼ぶとん、冷ごたつ、昔冷ごたつ
（ｂ）  冷暖房ぶとん、冷暖房ごたつ、昔冷暖房ごたつ、冷暖房机
〔（ｂ）については  すぐ述べる〕
【００１７】
（２）応用２
「冷扇風機」は  今までは  冷房用として考えて来たが、これは  冷暖房両用のエアコン（空気調節機）にもなる。
「冷扇風機」  （図１）は  管７から  冷たい空気を出し、管５から  熱い空気を出す。  管７の冷たい空気を用いれば  冷房になるし、管５の熱い空気を用いれば  暖房になる。
（ア）  冷暖房切り替え装置
これを  ツマミで  簡単に切り替える様にしたのが、「図１０」である。
「図１０」は、装置を  上から見た図である。
だから、部屋４０と部屋４１は  水平である。
「図１０」において、扇風機５５がある部屋が  冷熱発生器４２である。
（図面の上で）上の部屋４０が  冷たい空気を作る所、（図面の上で）下の部屋４１が  熱い空気を作る所である。
又、４３は（図面の上で）上の部屋、４４は（図面の上で）下の部屋で、二つの部屋は  仕切られていて、空気の出入りは出来ない。
部屋４３には  管４５がつながって居て、管４５を通った空気は  羽９（図１）まで行く。  部屋４４には  管４６がつながって居て、管４６を通る空気は要らないもの  として  捨てられる。
冷熱発生器４２の（図面の上で）上の部屋４０には、管４７，４８がつながって居て、管４７は  部屋４３に、管４８は  部屋４４につながって居る。
部屋４０と管４７，４８の間に、それぞれ  板で出来た５１（弁１）、５２（弁２）があり、弁には  つまみ易いように  それぞれツマミが付いている。弁１のツマミを  （図面の上で）上に引けば、管４７の口が開き、部屋４０の空気が  管４７に入り、
弁１のツマミを  （図面の上で）下に押し込めば、管４７の口が閉まり、部屋４０の空気が  管４７の中に入る事が出来ない様にする。
「図１０」は、弁１のツマミを  （図面の上で）上に引いた場合の図である。
５２（弁２）の方は、ツマミを  （図面の上で）手前に引けば、管４８の口が開き、（図面の上で）向こうに押し込めば  閉じる様にする。
冷熱発生器４２の（図面の上で）下の部屋４１には、管４９，５０がつながって居て、管４９は  部屋４３に、管５０は  部屋４４につながって居る。
部屋４１と管４９，５０の間に、それぞれ板で出来た５３（弁３）、５４（弁４）があり、弁３のツマミを  （図面の上で）手前に引けば、管４９の口が開き、
部屋４１の空気が  管４９に入り、
弁３のツマミを  （図面の上で）向こうに押し込めば、管４９の口が閉まり、部屋４１の空気が  管４９の中に入る事が出来ない様にする。
弁４の方は、ツマミを  （図面の上で）下に引けば  管５０の口が開き、（図面の上で）上に押し込めば  閉じる様にする。
「図１０」は、弁４のツマミを  （図面の上で）下に引いた場合の図である。
以上が仕組みであるが、冷暖房におけるツマミは  次の様にする。
冷房にする場合‥‥‥５１（弁１）と５４（弁４）を開け、５２（弁２）と５３（弁３）を閉じる。
即ち、（図面の上で）弁１を上に引き、（図面の上で）弁４を下に引き、弁２と弁３は（図面の上で）共に向こうに押し込む。
「図１０」は、この場合の図である。
暖房にする場合‥‥‥弁１と弁４を閉じ、弁２と弁３を開ける。
即ち、（図面の上で）弁１を下に押し込み、
（図面の上で）弁４を  上に押し込み、
弁２と弁３は  （図面の上で）共に手前に引く。
尚、冷たい空気を作る装置、熱を作る装置は  描くのを省略してある。
扇風機５５の近くには  穴があり、空気が  「冷熱発生器４２」の中に入るように成っている。
５６は、部屋４０と部屋４１を仕切る板。
【００１８】
（イ）  応用の例
「冷扇風機」、「涼ぶとん」、「涼ざぶとん」、「冷じゅうたん」、
「冷いす」、「冷ごたつ」、「昔冷ごたつ」、「冷机」の冷熱発生器の部分に、
「図１０」の様な「冷暖房切り替え装置」を取り付ける。
そうしたものを、それぞれ  「冷暖房（れいだんぼう）扇風機」、
「冷暖房ぶとん」、「冷暖房ざぶとん」、「冷暖房毛布」、
「冷暖房じゅうたん」、「冷暖房いす」、「冷暖房ごたつ」、
「昔冷暖房ごたつ」、「冷暖房机（づくえ）」と名づける。
【００１９】
（３）応用３
「冷扇風機」などは  冷房専用であるが、同様に  暖房専用も考えられる。
それ等を、「暖（あたゝ）か扇風機」、「暖かぶとん」、「暖かざぶとん」、「暖か毛布」、「暖かじゅうたん」、「暖かいす」、「暖かごたつ」、「昔暖かごたつ」、「暖か机（づくえ）」と名づける。
「暖か扇風機」等では、部屋の中の温度より低い  冷たい空気を、冷熱発生器の中の扇風機（「図１０」で云えば、５５）で  装置の外へ追い出し、
その冷たい空気より暖かい  部屋の中の空気を取り込み、
冷熱発生器が  部屋の中の空気の持つ熱（＝空気の分子の持つ運動エネルギー）を取り込み易くする。
電気抵抗による熱を用いた毛布、ジュウタン、布団の中に入れて用いる「こたつ」がある。  昔は、「こたつ」に  タドンや炭を入れた。
これ等は  安全に作ってあるが、「暖か毛布」、「暖かじゅうたん」、「昔暖かごたつ」と比べて  「どちらが安全か」と云えば、
電気が通っておらず、只暖かい空気が通る「暖か毛布」、「暖かじゅうたん」、暖かい空気を流す「昔暖かごたつ」の方が  「より安全だ」と云える。
【００２０】
【発明の効果】
本発明には  従来のものより優れた面があり、それ等についても  色々述べたが、こゝでは  主張したい事をまとめる。
（１）冷扇風機
扇風機の場合、扇風機にあたって、最初は  「あゝ、涼しいな」と思うが、その内  吹きつけて来る風の生暖かさが  気になって来る。
扇風機の、この「生暖かさ」という欠点を無くしたのが  エアコン、クーラーである。  所が、エアコン、クーラーは、一般に高い所に固定されて居るので、
外出して  帰って来て、やれやれと  部屋の好きな場所に  寝ころんで涼む扇風機、という訳には行かない。
すぐ涼む為には、エアコン、クーラーに近づき、一般には  疲れて居るのに、立った姿勢で  涼まなければ成らない。
又、エアコン、クーラーは  部屋全体を冷やすので、一人、二人が涼むには勿体ない。  電気＝資源、金のムダ。  地球の炭酸ガスを増やし、地球を温める。
又、「停電無しに、どうして  電気を送ろうか」と  電力会社を悩ませる。
今、東京の電力会社は  原子力発電を止めているが、今年（平成１５年）の夏は  冷房の為  東京は大停電になる、と考えられて居る。
〔テレビ朝日の「ワイド！スクランブル」（平成１５年５月２１日）によれば、〕実際  １９８７年、東京は  大停電となった。
この  扇風機、エアコン（クーラー）両者の欠点を無くしたのが、「冷扇風機」である。
（２）財布と地球に優しい
（この項は、前項（１）の内容と  一部重なる。）
次のものは、エアコン、クーラーに比べて、冷やしたり、暖めたりする範囲が小さい為  安上がり、炭酸ガスの発生も少ない。
冷扇風機、涼ぶとん、涼ざぶとん、冷毛布、冷じゅうたん、冷いす、
冷ごたつ、昔冷ごたつ、冷机。
冷暖房扇風機、冷暖房ぶとん、冷暖房ざぶとん、冷暖房毛布、冷暖房じゅうたん、冷暖房いす、冷暖房ごたつ、昔冷暖房ごたつ、冷暖房机。暖か扇風機、暖かぶとん、暖かざぶとん、暖か毛布、暖かじゅうたん、暖かいす、暖かごたつ、昔暖かごたつ、暖か机。
【００２１】
（３）新しい便利さ
涼ぶとん、涼ざぶとん、冷毛布、冷じゅうたん、冷いす、冷ごたつ、昔冷ごたつ、冷机。
冷暖房扇風機、冷暖房ぶとん、冷暖房ざぶとん、冷暖房毛布、
冷暖房じゅうたん、冷暖房いす、冷暖房ごたつ、昔冷暖房ごたつ、
冷暖房机。
暖かぶとん、暖かざぶとん、暖かいす、暖か机。
以上は  今までに無い装置だと思うが、新しい便利さをもたらす。冷机、暖か机、冷暖房机等によって、子供が  勉強好きに成るかも。
（４）熱の違い
暖か扇風機、暖かごたつ、昔暖かごたつ。
従来のものは  電気抵抗による熱を用いるもの  であるが、
本発明は、冷蔵庫（冷熱発生器）における  気体の圧縮の際発生する熱を用いる、という違いがある。  この熱の違いが、有利さの違いとなる。
（５）気が楽
毛布、ジュウタン、布団の中に入れる「こたつ」を暖める  従来のものは、電気抵抗による熱を用いる。
これ等は  安全に作ってあるが、「暖か毛布」、「暖かじゅうたん」、
「昔暖かごたつ」と比べて  「どちらが  より安全か」と云えば、
電気が通っておらず、只暖かい空気が通る丈の「暖か毛布」、「暖かじゅうたん」、暖かい空気を流す丈の「昔暖かごたつ」の方が  「より安全だ」と云える。電気が通って居ないので、使う際  遠慮が無い。  こういう点、気が楽である。「冷ぶとん」、「暖かぶとん」、「冷いす」等も  電気が通って居ないので、使う際  気が楽である。
例えば、子供が  「冷いす」のソファーの上で暴れても、気を揉まないで済む。揉むのは、台所のキュウリを  揉んでおれば良い。
（６）電磁波
高圧送電線や、電化製品から出る電磁波の  健康への影響が懸念されている。例えば、ガンを発生させる  のではないか、と考えられて居る。
色々な医学的な調査、実験等がある。
電磁波、例えば  高圧送電線鉄塔下では、電流を流さない蛍光灯が光る。
これ程である。  （平成１３年  ９月２９日、大阪府門真市古川町の高圧送電線鉄塔下での実験。  ＬＰガス事業研究会による。）
この「電磁波の影響」という点を、今後  人類は考えなければ成らない。
従来の、電気を用いた毛布、ジュウタン等は、身体の直ぐ側に  電気がある訳であるが、
これ等に対して、本発明の中の  電気の部分を人体から離して使うものは、
例えば  「暖か毛布」等は  より安全と云える。
【図面の簡単な説明】
【図１】冷扇風機を示したもので、正面図。
【図２】冷熱発生器１の容器の壁を取り去り、内部が見える様にしたもの。
正面図。
【図３】支柱１０と  モーター６のつなぎ方を示したもの。  断面図。
【図４】冷たい空気の送り方を示したもので、正面図。
【図５】（ａ）  布団２２の中の管２１の様子を示したもので、平面図。
但し、布団２２の一部をはぎ取って、管２１が見える様にした。
（ｂ）  布団２２の中の管２４の様子を示したもので、平面図。
但し、布団２２の一部をはぎ取って、管２４が見える様にした。
【図６】「図１」の冷扇風機を  少し変えた「元冷扇風機」の正面図。
但し、覆い２５の一部を切り取り、中が見える様にした。
【図７】従来のコタツを示したもの。  但し、中が見える様に、
布団２７の一部を切り取った図。  正面図。
【図８】「昔冷ごたつ７０」を示したもの。  但し、中が見える様に、
布団７１の一部を切り取った図。  正面図。
【図９】（ａ）机３０に、布団（或いは  毛布）３１をかけた図。  正面図。（ｂ）椅子３２の脚の周りに  布団（或いは  毛布）３３を巻いた図。  斜視図。
【図１０】「冷暖房切り替え装置」を示したもの。  平面図。
但し、冷熱発生器４２の壁の一部を切り取り、中が見える様にした。
【符号の説明】
１、４２  冷熱発生器
４、５５  扇風機
６  モーター
９  羽
１０、１６  支柱
１１  インクビンの様な物体
２１  穴の開いた管
２６  空間を作る骨組み
５１、５２、５３、５４  弁
【図１】
2004353645.tif 000003
【図２】
2004353645.tif 000004
【図３】
2004353645.tif 000005
【図４】
2004353645.tif 000006
【図５】
2004353645.tif 000007
【図６】
2004353645.tif 000008
【図７】
2004353645.tif 000009
【図８】
2004353645.tif 000010
【図９】
2004353645.tif 000011
【図１０】
2004353645.tif 000012